(57)【要約】【課題】投票カードに記入ミスがあっても、投票者にわずらわしい修正操作等をさせずに投票処理を進める投票装置を提供すること。【解決手段】投票装置１００は、投票カードに記入された投票内容を取得する投票内容取得部１２０ａと、投票内容において記入された投票対象の数に誤りがあった場合に、投票対象数が適正になるように、投票カードに記入された投票対象の内容に基づき、投票対象を選択する投票対象選択部１２０ｃと、を備え、選択された投票対象に基づき、投票を行う。【選択図】図５
2016118890.tif 000002
【特許請求の範囲】
【請求項１】
投票カードに記入された投票内容を取得する投票内容取得部と、
前記投票内容において記入された投票対象の数に誤りがあった場合に、投票対象数が適正になるように、前記投票カードに記入された投票対象の内容に基づき、前記投票対象を選択する投票対象選択部と、を備え、
前記選択された投票対象に基づき、投票を行う
ことを特徴とする投票装置。
【請求項２】
前記選択された投票対象に基づき、投票券を発行する投票券発行部、を更に備える
ことを特徴とする請求項1に記載の投票装置。
【請求項３】
前記投票対象選択部は、前記投票カードに前記投票対象の数が適正数より多く記入された場合には、前記投票カードに記入された投票対象の中から、前記投票対象を適正数に絞る
ことを特徴とする請求項1または、請求項２に記載の投票装置。
【請求項４】
前記投票対象選択部は、前記投票カードに記入された投票対象の中から、ランダムに前記投票対象を選択する
ことを特徴とする請求項３に記載の投票装置。
【請求項５】
前記投票対象選択部は、前記投票カードに記入された投票対象の中から、人気順に基づき、前記投票対象を選択する
ことを特徴とする請求項３に記載の投票装置。
【請求項６】
投票装置における投票方法において、
投票カードに記入された投票内容を取得する投票内容取得ステップと、
前記投票内容において記入された投票対象の数に誤りがあった場合に、投票対象数が適正になるように、前記投票カードに記入された投票対象の内容に基づき、前記投票対象を選択する投票対象選択ステップと、
前記選択された投票対象に基づき、投票する投票ステップと、含む
ことを特徴とする投票方法。
【請求項７】
コンピュータに投票方法を実行させるプログラムにおいて、
投票カードに記入された投票内容を取得する投票内容取得ステップと、
前記投票内容において記入された投票対象の数に誤りがあった場合に、投票対象数が適正になるように、前記投票カードに記入された投票対象の内容に基づき、前記投票対象を選択する投票対象選択ステップと、
前記選択された投票対象に基づき、投票する投票ステップと、を実行させる
ことを特徴とするプログラム。
【請求項８】
投票装置と前記投票装置に接続され前記投票装置を制御するホストコンピュータからなる投票システムにおいて、
前記投票装置は、
投票カードに記入された投票内容を取得する投票内容取得部と、
前記投票内容を前記ホストコンピュータに送信する通信部と、を備え、
前記ホストコンピュータからの指示に応じて、投票を行い、
前記ホストコンピュータは、
前記投票カードに投票対象の数が適正数より多く記入された場合には、前記投票カードに記入された投票対象の中から、適正数になるように前記投票対象を選択する投票対象選択部と、
前記選択された投票対象を前記投票装置に送信する通信部と、を備える
ことを特徴とする投票システム。
【発明の詳細な説明】
【技術分野】
【０００１】
本発明は、投票カード（マークシート）を使用して投票を行う装置に関する。
【背景技術】
【０００２】
投票券発券装置やキャッシュレス投票端末装置は、投票対象及び投票金額等の投票内容が投票者により記入された投票カードを受け付けて、その投票内容に応じた投票を行うものである。この投票券発券装置（自動発売機とも言う）やキャッシュレス投票端末装置は、競馬、競輪、競艇、オートレース等の公営競技で、広く利用される。
【０００３】
投票券発券装置は、マークシート方式の投票カードを使用して投票券を発行する方式である。投票者は、見込み額の貨幣を貨幣投入口に投入した後、投票カードに購入を希望する投票式別（単勝、複勝、枠番連勝、馬番連勝等）、開催場所、レース番号、枠番又は馬番、金額等をマークし、発券装置のカード挿入口に挿入する。投票券発券装置は、投票カードに記入されたマークを読取り、記入された内容に従って、投票券を発行する。
マークシートの記入は、投票者によって行われるので、記入ミスが発生してしまう。そこで、投票カードへの記入ミスがあっても、これをできるだけ救済して、発券効率を低下させないような投票券発券装置が提案されている。例えば、特許文献１には、投票カードの金額欄への記入ミスをカバーする発券装置についてが記載されている。
【先行技術文献】
【特許文献】
【０００４】
【特許文献１】特開平６−２４３３２０号公報
【発明の概要】
【発明が解決しようとする課題】
【０００５】
一般には、投票カードの記入内容に記入ミスがあった場合、投票装置側では、投票を行うことができないため、投票内容の修正を促す画面を表示して、投票者に修正をさせている。
【０００６】
図１３は、投票内容の修正を促す修正画面の一例である。図１３の修正画面は、式別で「単勝」が設定されているにもかかわらず、組番が複数マークされているので、組番を１つ選択するよう指示している画面である。投票者は、タッチパネルのキーボードで、希望する組番の番号を入力して投票してもよいし、もしくは誤って記入した投票カードを一旦返却し再度記入することを選んでもよい。
【０００７】
しかし、見慣れない修正画面が表示されても、投票者が迅速に対応操作するのは難しく、修正画面を見て考えながら操作をすることになるので、実際の修正操作にはそれなりに時間がかかってしまう。そのため、後で待っている他のファンから不満が出て、運営上問題であった。また、１接客あたりの時間が増大してしまうことから、顧客売上の低下にも繋がっていた。
【０００８】
本願発明は、上記課題に鑑み、投票カードに誤記入があっても、投票者にわずらわしい修正操作等をさせずに投票処理を進める投票装置を提供することを目的とする。
【課題を解決するための手段】
【０００９】
上記目的を達成するために、投票装置は、投票カードに記入された投票内容を取得する投票内容取得部と、前記投票内容において記入された投票対象の数に誤りがあった場合に、投票対象数が適正になるように、前記投票カードに記入された投票対象の内容に基づき、前記投票対象を選択する投票対象選択部と、前記選択された投票対象に基づき、投票を行う制御部と、を備える。
【発明の効果】
【００１０】
本発明によれば、投票カードに誤記入があっても、投票者にわずらわしい修正操作等をさせずに投票処理を進める投票装置を提供することができる。
【図面の簡単な説明】
【００１１】
【図１】投票システムの全体構成を示す図である
【図２】投票装置の正面外観を詳細に示す図である。
【図３】図２に示す投票装置の各操作箇所を、さらに拡大して示す図である。
【図４】投票装置全体のハードウェア構成例を示す図である。
【図５】第1実施形態の投票システムの構成を示す機能ブロック図である。
【図６Ａ】第１実施形態における、投票処理の手順を説明するためのフローチャート１である。
【図６Ｂ】第１実施形態における、投票処理の手順を説明するためのフローチャート２である。
【図７】投票カードの例である。
【図８】組番が多くマークされた投票カードの例である。
【図９】投票カードの内容の具体例を示す表である。
【図１０】確認画面の例である。
【図１１】第２実施形態の投票システムの構成を示す機能ブロック図である。
【図１２Ａ】第２実施形態における、投票処理の手順を説明するためのフローチャート１である。
【図１２Ｂ】第２実施形態における、投票処理の手順を説明するためのフローチャート２である。
【図１３】従来、表示されていた、投票内容の修正画面の例を示す図である。
【図１４】キャッシュレス投票端末装置全体のハードウェア構成例を示す図である。
【図１５】キャッシュレス投票端末装置の構成を示すブロック図である。
【発明を実施するための形態】
【００１２】
以下、図面に従って本発明の実施形態を説明する。図１は、本実施形態に係る投票装置１００、ホストコンピュータ２００、ネットワーク３００からなる投票システム１０００の全体構成を示す図である。投票システム１０００は、投票、オッズの表示と集計、配当金の計算、的中投票の払戻等を管理するシステムである。投票システム１０００には、投票装置１００が複数台含まれる。尚、投票装置１００の代わりにキャッシュレス投票端末装置４００を使用することも可能である。尚、投票装置１００やキャッシュレス投票端末装置４００を含めて、投票装置と表記することがある。
【００１３】
また、図２は、投票システム１０００の全体構成を示すとともに、投票装置１００の正面外観を詳細に示す図である。また、図３は、図２に示す投票装置１００の正面に配置された操作系を、さらに拡大して示す図である。
【００１４】
図２、図３に示すように、投票装置１００は、運用状況表示窓１０１、投票券投入口１０２、投票券排出口１０３、投票カード投入排出口１０４、紙幣投入排出口１０５、硬貨投入口１０６、硬貨排出口１０７、ディスプレイ１０８、タッチパネル１０９を備える。
【００１５】
運用状況表示窓１０１は、投票装置１００において、投票券の発券受付中であるか発券停止中であるか、及び、投票券の払戻受付中であるか払戻停止中であるかを表示する。
【００１６】
投票券投入口１０２は、払い戻しをする投票券の投入口である。投票券排出口１０３は、発券された投票券の排出口である。投票カード投入排出口１０４は、投票申し込みマークカード（以降、投票カードと記す。）の投入口であり、また、返却する投票カードの排出口でもある。
【００１７】
紙幣投入排出口１０５は、紙幣の投入口であり、また、返却する紙幣又は釣札とする紙幣の排出口でもある。硬貨投入口１０６は、硬貨の投入口である。硬貨排出口１０７は、返却する硬貨又は釣銭とする硬貨の排出口である。
【００１８】
ディスプレイ１０８は、タッチパネル１０９の下層に配置されており、操作案内、レース案内、投票カードの投票内容等の情報を表示する。ディスプレイ１０８は、例えば液晶ディスプレイである。
【００１９】
タッチパネル１０９は、透過型のタッチパネルであり、各種の入力や投票内容の修正等の際に操作される。ディスプレイ１０８により表示された情報は、タッチパネル１０９を透過して、投票券購入者から視認可能である。投票券購入者は、ディスプレイ１０８により表示された情報を見ながら、タッチパネル１０９に対するタッチ操作を行うことができる。
【００２０】
なお、投票装置１００において、投票券投入口１０２と投票券排出口１０３を一体構成としてもよい。また、硬貨投入口１０６と硬貨排出口１０７を一体構成としてもよい。また、投票カード投入排出口１０４を、投票カード投入口と投票カード排出口のように、別体構成としてもよい。また、紙幣投入排出口１０５を、紙幣投入口と紙幣排出口のように、別体構成としてもよい。
【００２１】
ホストコンピュータ２００は、投票装置１００とネットワーク３００を介して通信を行い、投票装置１００が行う投票券の発券や投票券の払戻等を管理する。また、ホストコンピュータ２００は、オッズの計算、配当金の計算等を行う。ネットワーク３００は、例えば、ＬＡＮ（Local Area Network）、ＷＡＮ（Wide Area Network）、インターネット等のネットワーク、或いは、それらが混在するネットワークである。
【００２２】
図４は、投票装置１００全体のハードウェア構成例を示す図である。投票装置１００は、制御部１１１、ディスプレイ１０８、管理者用ディスプレイ１１２、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、可搬型記録媒体１１９等を備える。
【００２３】
制御部１１１は、ＣＰＵ（Central Processing Unit）１２０、ＲＡＭ（Random Access Memory）１２１、ＨＤＤ（Hard Disk Drive）１２２、通信ＩＦ（インタフェース）１２３、グラフィック処理ユニット１２４、入出力ＩＦ（インタフェース）１２５を含み、各々がバス１２６を介して接続される。なお、制御部１１１は、コンピュータの一例でもある。
【００２４】
ＣＰＵ１２０は、投票装置１００の全体動作を制御する。ＲＡＭ１２１は、ＣＰＵ１２０によって実行させるＯＳ（Operating System）のプログラムやアプリケーションプログラムの少なくとも一部を一時的に格納する。また、ＲＡＭ１２１は、ＣＰＵ１２０による処理に必要な各種データ（例えば投票内容のデータ等）を格納する。ＨＤＤ１２２は、ＯＳや各種制御プログラムを格納する。
【００２５】
通信ＩＦ１２３は、ネットワーク３００に接続され、例えば、ホストコンピュータ２００との間でデータ（各種の情報、電文、通知等）の送受信を行う。
【００２６】
なお、ＣＰＵ１２０によって実行されるＯＳのプログラムや各種制御プログラムは、図示しない外部装置から、ネットワーク３００及び通信ＩＦ１２３を介して、例えばＲＡＭ１２１に格納されて、ＣＰＵ１２０によって実行されてもよい。また、可搬型記録媒体１１９に格納され、可搬型記録媒体インタフェース（不図示）及び入出力ＩＦ１２５を介して、例えばＲＡＭ１２１に格納されて、ＣＰＵ１２０によって実行されてもよい。
【００２７】
グラフィック処理ユニット１２４には、ディスプレイ１０８、管理者用ディスプレイ１１２が接続される。管理者用ディスプレイ１１２は、投票装置１００の裏面側に設けられる管理者向けのディスプレイである。グラフィック処理ユニット１２４は、ＣＰＵ１２０の制御の下に、各種の情報をディスプレイ１０８、管理者用ディスプレイ１１２の画面に表示させる。
【００２８】
入出力ＩＦ１２５には、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８が接続される。また、入出力ＩＦ１２５は、可搬型記録媒体１１９に対する情報の書込み及び読出しが可能な可搬型記録媒体インタフェースと接続可能である。
【００２９】
入出力ＩＦ１２５は、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、可搬型記録媒体インタフェースから送られてくる信号を、バス１２６を介してＣＰＵ１２０に送信する。
【００３０】
また、入出力ＩＦ１２５は、ＣＰＵ１２０から送られてくる制御信号を、バス１２６を介して対応するユニット（タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、又は可搬型記録媒体インタフェース）へ送信する。
【００３１】
投票カード読取ユニット１１４は、投票カードに記入されたマークを光学的に検出することにより、投票カードに記入された投票内容を読み取るユニットである。紙幣還流ユニット１１５は、紙幣の受け入れ、紙幣の真贋の鑑別、紙幣の収納、紙幣の返却、釣札の排出を行う。硬貨還流ユニット１１６は、硬貨の受け入れ、硬貨の真贋の鑑別、硬貨の収納、硬貨の返却、釣銭の排出を行う。投票券印刷ユニット１１７は、投票内容を印刷して投票券を発券する。払戻投票券読取ユニット１１８は、投票券を受け入れて投票内容を読み取る。
【００３２】
なお、投票装置１００において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、可搬型記録媒体１１９、或いは通信ＩＦ１２３を介してファームウェアを書き込むことができる。このように制御部１１１は、不揮発性メモリに記憶されているファームウェアを書き換えることにより、ファームウェアの更新をすることもできる。
【００３３】
〔第1実施形態〕
図５は、第1実施形態の投票システム１０００の構成を示す機能ブロック図である。第1実施形態は、主に投票装置１００が、投票カード誤記入時の投票対象選択処理を行う例である。後述する第２実施形態は、主にホストコンピュータ２００が、誤記入時の投票対象選択処理を行う例である。
【００３４】
前述のように、投票装置１００は、ディスプレイ１０８、タッチパネル１０９、投票カード読取ユニット１１４、投票券印刷ユニット１１７、ＣＰＵ１２０、ＲＡＭ１２１、ＨＤＤ１２２、通信ＩＦ１２３、グラフィック処理ユニット１２４、入出力ＩＦ１２５を有する。ＣＰＵ１２０等の各部位は、図２〜図４で説明済であるので、省略する。
【００３５】
ＣＰＵ１２０は、投票カード誤記入時の投票券発券処理を行なう手段として、投票内容取得部１２０ａ、投票券発行部１２０ｂ、投票対象選択部１２０ｃを有する。投票内容取得部１２０ａ、投票券発行部１２０ｂ、投票対象選択部１２０ｃは、制御プログラムを読込んだＣＰＵ１２０のソフトウェア処理により実行される機能部である。
【００３６】
投票内容取得部１２０ａは、投票カードに記入された投票内容を取得する。投票カード読取ユニット１１４によって投票カードに記入されたマークが光学的に読取られ、投票カード読取ユニット１１４から、読取られた投票カードのマーク位置のデータが、ＣＰＵ１２０に通知される。投票内容取得部１２０ａは、通知された投票カードのマーク位置のデータにより、投票内容を取得する。取得された投票内容は投票電文として、通信ＩＦ１２３により、ホストコンピュータ２００に送信される。
【００３７】
投票券発行部１２０ｂは、投票内容を受信したホストコンピュータ２００からの発券許可を受けると、投票に応じた内容で投票券の印刷を投票券印刷ユニット１１７に指示し、印刷された投票券を投票券排出口１０３から排出させる。
【００３８】
投票対象選択部１２０ｃは、投票カードに記入された投票対象の数に誤りがあった場合に、投票対象数が適正になるように、投票カードに記入された投票対象の内容に基づき、投票対象を選択する。特に、投票対象選択部１２０ｃは、投票カードに投票対象の数が適正数より多く記入された場合には、投票カードに記入された投票対象の中から、投票対象数を適正数に絞る。投票対象は、通常、「組番」と呼ばれる。
【００３９】
例えば、式別が単勝の場合にはマークされる組番は１つであるので、複数の組番がマークされた場合には、投票対象の数が誤記入となる。この場合には、投票対象選択部１２０ｃは、マークされた複数の組番の中から１つの組番を選択する（絞る）ことを行う。
【００４０】
そして、投票対象選択部１２０ｃは、投票対象を適正数に選択する場合に、投票カードに記入された投票対象の中から、所定の処理で投票対象を選択する。所定の処理として、ここでは、「ランダム選択」及び「人気順選択」を説明するが、他の処理であっても当然によい。「ランダム選択」または「人気順選択」のいずれの方式にするかは、予め設定される。投票対象選択部１２０ｃは、予め設定された「ランダム選択」あるいは「人気順選択」のいずれかの方式で、投票対象を選択する。
【００４１】
投票対象選択部１２０ｃは、「ランダム選択」の場合には、乱数に基づいてマークされた複数の組番の中から、適正数の組番を選択する。投票対象選択部１２０ｃは、式別が単勝の場合には、組番を１つ選択する。
【００４２】
投票対象選択部１２０ｃは、「人気順選択」の場合には、当該レースのオッズ情報に基づき、選択する。投票対象選択部１２０ｃは、ホストコンピュータ２００にオッズ情報を要求し、取得したオッズ情報により、マークされた複数の組番の中から人気順に組番を選択する。投票対象選択部１２０ｃは、単勝の場合には、マークされた複数の組番の中で最も人気の高い組番を１つ選択する。
【００４３】
そして、投票対象選択部１２０ｃは、選択された組番（投票対象）を確認画面として、ディスプレイ１０８に表示させる。確認画面は、グラフィック処理ユニット１２４によって作成される。確認画面には、適正数に絞られた組番とその承認メッセージが表示される。投票券購入者は、修正された投票内容につき、承認あるいは非承認をタッチパネル１０９で入力する。
【００４４】
承認された場合には、投票内容の組番が適正数に修正され、修正された投票内容が投票電文として、通信ＩＦ１２３により、ホストコンピュータ２００に送信される。投票券購入者が、非承認とした場合には、投票カードが返却される。
【００４５】
ホストコンピュータ２００は、ＣＰＵ２０２、通信ＩＦ２０４、ＨＤＤ２０６等を有する。
【００４６】
ＣＰＵ２０２は、ＨＤＤ２０６等に格納された制御プログラムを読込んで、読込んだ制御プログラムに従ってホストコンピュータ２００全体を統括的に制御する制御部である。通信ＩＦ２０４は、ネットワーク３００を介して、接続された複数の投票装置１００と、電文の送受信を行う。
【００４７】
ＣＰＵ２０２は、ソフトウェア処理により実現される機能部として、発券許可部２０２ａを有する。発券許可部２０２ａは、受信した投票電文につき、その投票内容に応じた発券を許可するか否かを判定する。ＣＰＵ２０２は、許可する場合には投票装置１００へ発券許可電文を送信し、該当レースの発売締切や投票された馬番号の出走取消などにより発券を許可しない場合には投票装置１００へ発券不許可電文を送信する。
【００４８】
図６は、投票カードの誤記入時に行われる投票処理の手順を説明するためのフローチャートで、図６Ａはその１、図６Ｂはその２である。図６Ａ，図６Ｂとも、左列に、投票者による操作、中央の列に投票装置１００による処理、右列にホストコンピュータ２００による処理を、それぞれ区分けし、かつ、投票者による操作には「Ｒ」、投票装置１００による処理には「Ｓ」、ホストコンピュータ２００による処理には「Ｔ」を、それぞれの番号の先頭に付して示す。
【００４９】
投票者により、現金投入が行われる（ステップＲ１０）。投票者は、紙幣投入排出口１０５や硬貨投入口１０６に現金を投入する。投票装置１００は、投入された現金に対して、現金計数を行う（ステップＳ１０）。
【００５０】
投票者により、投票カード投入排出口１０４へ投票カードが挿入される（ステップＲ１２）。投票装置１００は、投票カード読取ユニット１１４により、投票カードの読取りを行う（ステップＳ１２）。投票カード読取ユニット１１４は、読取ったデータをＣＰＵ１２０に通知する。
【００５１】
ここで、投票カードについて図７を用いて説明する。図７は、投票カードの例である。投票カードの上段には、開催場の一覧から購入する場名を指定（マーク）するための場名ブロックＣａ、購入するレースを指定するためのレース番号ブロックＣｂ、購入する券の式別（例えば、単勝式、複勝式、枠連式など）を指定する式別ブロックＣｃが設けられる。また、投票カードの下段には、購入する組番を指定する組番ブロックＣｄ、購入金額と単位をそれぞれ指定するための金額ブロックＣｅと単位ブロックＣｆ、投票カードの種別（例えば、通常投票カード、ボックス投票カードなど）を識別するための種別識別コードＣｇが設けられる。また、投票カードの底部には、マーク欄の位置を特定するためのタイミングマークＣｈが設けられる。
【００５２】
図６Ａのフローに戻って、ＣＰＵ１２０の投票内容取得部１２０ａは、読取ったデータにより、「場・レース・式別・金額」の各ブロックにつき、読取可能であるかを判断する（ステップＳ１４）。ここでの読取可能とは、「場・レース・式別・金額」の各ブロックにつき、未記入や重複記入がなく、適正にマークされたと判断する場合である。
【００５３】
投票内容取得部１２０ａは、「場・レース・式別・金額」の各項目につき、読取可能ではないと判断すると（ステップＳ１４ＮＯ）、ディスプレイ１０８に修正画面を表示させる（ステップＳ１６）。修正画面には、読取可能でないブロック名が表示され、投票者に、例えば「場名」の入力を促す。投票者は、修正画面の指示に基づき、タッチパネル１０９で修正操作を行う（ステップＲ１４）。
【００５４】
投票内容取得部１２０ａは、「場・レース・式別・金額」の各ブロックにつき、読取可能であると判断すると（ステップＳ１４ＹＥＳ）、投票内容取得部１２０ａは、組番のマークについて判断する。
【００５５】
投票内容取得部１２０ａは、組番が空欄であるかを判断する（ステップＳ１８）。投票内容取得部１２０ａは、組番が空欄であると判断すると（ステップＳ１８ＹＥＳ）、ＣＰＵ１２０は、投票カードの返却を行う（ステップＳ２０）。
【００５６】
なお、ＣＰＵ１２０は、投票内容と投入された金額を対比して、金額が不足であると判断する場合には、金額不足である旨を表示し、追加投入を促す。
投票内容取得部１２０ａは、組番が空欄でないと判断すると（ステップＳ１８ＮＯ）、組番の数が多いかを判断する（ステップＳ２２）。組番の数が多いとは、式別や金額に対して、マークされた組番が多い場合である。前述のように、単勝の場合には、組番が２つ以上あると組番の数が多いと判断され、複勝では金額や条件に応じて、判断される。
【００５７】
図８は、組番が多くマークされた投票カードの例である。図８は、式別が単勝なので、組番が１つマークされるべきところ、組番が３つマークされた例である。
【００５８】
投票内容取得部１２０ａは、組番数が多くない（適切）と判断すると（ステップＳ２２ＮＯ）、投票内容に基づく投票電文を通信ＩＦ１２３により、ネットワーク３００経由で、ホストコンピュータ２００に送信する（ステップＳ２４）。
【００５９】
ホストコンピュータ２００は、投票電文を受信し、発券許可部２０２ａは発券許可を判断する。ホストコンピュータ２００は、発券許可部２０２ａにより発券許可がされれば、通信ＩＦ２０４により発券許可電文を投票装置１００に送信する（ステップＴ１０）。
【００６０】
投票装置１００のＣＰＵ１２０は、発券許可電文を受信したかを判断する（ステップＳ２６）。ＣＰＵ１２０は、発券許可電文を受信していないと判断すると（ステップＳ２６ＮＯ）、ステップＳ２６をループする。ＣＰＵ１２０は、発券許可電文を受信したと判断すると（ステップＳ２６ＹＥＳ）、投票券発行部１２０ｂは、投票券印刷ユニット１１７に印刷を指示し、投票券を発行する（ステップＳ２８）。
【００６１】
一方、投票内容取得部１２０ａは、組番数が多いと判断すると（ステップＳ２２ＹＥＳ）、図６Ｂのフローチャート２に進む。
【００６２】
投票対象選択部１２０ｃは、設定が「ランダム選択」であるかを判断する（ステップＳ４０）。投票対象選択部１２０ｃは、設定が「ランダム選択」であると判断すると（ステップＳ４０ＹＥＳ）、組番の数が適正になるように、余分にマークされた組番の中から、適正数の組番をランダムに選択する（ステップＳ４２）。
【００６３】
一方、投票対象選択部１２０ｃは、設定が「ランダム選択」でないと判断すると（ステップＳ４０ＮＯ）、「人気順選択」を行う。投票対象選択部１２０ｃは、オッズデータ取得依頼の電文をホストコンピュータ２００に送信する（ステップＳ４４）。
【００６４】
ホストコンピュータ２００は、対応するオッズデータの電文を送信する（ステップＴ１２）。投票対象選択部１２０ｃは、オッズデータの電文を受信したかを判断し（ステップＳ４６）、受信するまで、ステップＳ４６をループする。投票対象選択部１２０ｃは、オッズデータの電文を受信したと判断すると（ステップＳ４６ＹＥＳ）、マークされた組番の中から組番を人気順に選択する（ステップＳ４８）。
【００６５】
図９は、Ｎｏ１〜Ｎｏ５の投票カードに基づく、各投票データの例を示す表である。表Ｐ１は、投入された投票カードそのものに基づく投票データで、Ｎｏ１とＮｏ４の投票カードが誤記入され、単勝で１つであるべき組番が２つ以上記載されている。Ｎｏ１は、図８に示した投票カードの投票内容である。表Ｐ２は、Ｎｏ１とＮｏ４で誤記入のあった組番が、投票対象選択部１２０ｃによる例えばランダム選択によって、修正された後の投票データである。
【００６６】
投票対象選択部１２０ｃは、ランダム選択あるいは人気順選択の後に、確認画面を表示する（ステップＳ５０）。ランダム選択あるいは人気順選択いずれも投票装置１００が選択した組番であるので、投票者からの承認を受けないで、一方的に投票券を発券すると、投票者の意向に沿わないおそれがあるからである。
図１０は、表示される確認画面の例である。図１０は、図８で示した誤記入の場合に表示される確認画面である。画面Ｑ１は、ランダム選択設定時の確認画面で、ランダム選択により、組番「１」が選択された場合である。おまかせ購入ボタンｄ１は、承認用のボタンである。おまかせ購入ボタンｄ１がタッチされると、組番「１」で、投票券が発行される。カード返却ボタンｄ２は、投票カードの返却を指示するボタンで、投票者が、ランダム選択を承認しない場合に、タッチされる。
【００６７】
図１０の画面Ｑ２は、人気順選択設定時の確認画面である。画面Ｑ２は、人気順選択設定時の確認画面で、人気順選択により、組番「２」が選択された場合である。おまかせ購入ボタンｄ１は、承認用のボタンで、タッチされると、組番「２」で、投票券が発行される。カード返却ボタンｄ２は、投票カードの返却を指示するボタンである。
【００６８】
確認画面を見た投票者により返却・確認操作が行われる（ステップＲ１６）。投票対象選択部１２０ｃは、カード返却ボタンｄ２のタッチによる、返却操作が行われたかを判断し（ステップＳ５２）、返却操作が行われたと判断すると（ステップＳ５２ＹＥＳ）、投票カードを返却して（ステップＳ５４）、処理を終了する。
【００６９】
ＣＰＵ１２０は、返却操作が行われていないと判断すると（ステップＳ５２ＮＯ）、おまかせ購入ボタンｄ１へのタッチによる、確認操作がされたかを判断する（ステップＳ５６）。ＣＰＵ１２０は、確認操作がされていないと判断すると（ステップＳ５６ＮＯ）、ステップＳ５２に戻る。
【００７０】
ＣＰＵ１２０は、確認操作がされたと判断すると（ステップＳ５６ＹＥＳ）、適正数に絞られた組番に基づく投票内容の投票電文をホストコンピュータ２００に送信する（ステップＳ５８）。例えば、図９の表Ｐ２に示す投票データが投票電文としてホストコンピュータ２００に送信される。
【００７１】
ホストコンピュータ２００は、投票電文を受信し、発券許可部２０２ａは発券許可を判断する。ホストコンピュータ２００は、発券許可部２０２ａにより発券許可がされれば、通信ＩＦ２０４により発券許可電文を投票装置１００に送信する（ステップＴ１４）。
【００７２】
投票装置１００のＣＰＵ１２０は、発券許可電文を受信したかを判断する（ステップＳ６０）。ＣＰＵ１２０は、発券許可電文を受信していないと判断すると（ステップＳ６０ＮＯ）、ステップＳ６０をループする。ＣＰＵ１２０は、発券許可電文を受信したと判断すると（ステップＳ６０ＹＥＳ）、投票券発行部１２０ｂは、投票券印刷ユニット１１７に印刷を指示し、投票券を発行する（ステップＳ６２）。
【００７３】
以上説明した第1実施形態によれば、投票カードの投票対象（組番）に誤記入があった場合、投票装置１００が自動的に投票対象を適正数に選択するので、従来のようなその場で投票者に修正作業を行わせるのに比べて、１接客あたりの投票時間を大幅に短縮することができる。
【００７４】
１接客あたりに予想される投票時間として、従来のやり方によれば、現金挿入（２．５秒）＋投票カード挿入（２．５秒）＋投票内容修正（１０秒）＋投票券発行（５秒）⇒計２０秒  が算出される。そして、第1実施形態によれば、現金挿入（２．５秒）＋投票カード挿入（２．５秒）＋投票内容コンピュータ自動選択（２秒）＋投票券発行（５秒）⇒計１２秒  が算出される。
【００７５】
このように、第1実施形態による投票対象選択処理を行うことで、投票時間が２０秒から１２秒に短縮され、約４０％程接客時間を抑えることが見込まれる。
【００７６】
〔第２実施形態〕
第２実施形態は、主にホストコンピュータ２００が、誤記入時の投票対象選択処理を行う例である。図１１は、第２実施形態の投票システム１０００の構成を示す機能ブロック図である。第２実施形態の投票システム１０００と第１実施形態の投票システム１０００の構成上の違いは、投票装置１００のＣＰＵ１２０に備わった投票対象選択部を、ホストコンピュータ２００のＣＰＵ２０２に設けたことである。第１実施形態と同一の部位には、同一符号を付し説明は省略する。
【００７７】
投票対象選択部６２０ｃは、投票カードに記入された投票対象の数に誤りがあった場合に、投票対象数が適正になるように、投票カードに記入された投票対象の内容に基づき、投票対象を選択するものである。投票対象選択部６２０ｃは、第１実施形態での投票対象選択部１２０ｃと同様な機能であるので、詳細な説明は省略する。
【００７８】
図１２は、第２実施形態における、投票カードの誤記入時に行われる投票券発券処理の手順を説明するためのフローチャートである。図１２Ａはその１、図１２Ｂはその２である。図６で説明した第１実施形態のフローチャートと同一処理については、簡単に説明し、相違点につき詳細に説明する。
【００７９】
投票者によるステップＲ１００、Ｒ１０２、Ｒ１０４は、ステップＲ１０，Ｒ１２、Ｒ１４と同一である。また、ホストコンピュータ２００によるステップＳ１００〜ステップＳ１１０は、ステップＳ１０〜ステップＳ２０と同一である。
【００８０】
投票内容取得部１２０ａは、組番が空欄でないと判断すると（ステップＳ１０８ＮＯ）、ＣＰＵ５２０は、図９の表Ｐ１に示したような投票電文をホストコンピュータ２００に送信する（ステップＳ１１２）。
【００８１】
ホストコンピュータ２００のＣＰＵ６０２は、組番数が多いかを判断する（ステップＴ１００）。ＣＰＵ６０２は、組番数が多くはない、つまり、組番数が適正数であると判断すると（ステップＴ１００ＮＯ）、次に発券許可部２０２ａは発券許可を判断する。ＣＰＵ６０２は、発券許可部２０２ａにより発券許可がされれば、通信ＩＦ２０４により発券許可電文を投票装置１００に送信する（ステップＴ１０２）。
【００８２】
投票装置１００のＣＰＵ５２０は、発券許可電文を受信したかを判断する（ステップＳ１１４）。ＣＰＵ５２０は、発券許可電文を受信してないと判断すると（ステップＳ１１４ＮＯ）、ステップＳ１１４をループする。ＣＰＵ５２０は、発券許可電文を受信したと判断すると（ステップＳ１１４ＹＥＳ）、投票券発行部１２０ｂは、投票券を発行する（ステップＳ１１６）。
【００８３】
ＣＰＵ２１２は、組番数が多いと判断すると（ステップＴ１００ＹＥＳ）、投票対象選択部６２０ｃは、図１２Ｂに進み、設定が「ランダム選択」であるかを判断する（ステップＴ１０４）。
【００８４】
投票対象選択部６２０ｃは、設定が「ランダム選択」であると判断すると（ステップＴ１０４ＹＥＳ）、組番数が適正になるように、余分にマークされた組番の中から、適正数の組番をランダムに選択する（ステップＴ１０６）。
【００８５】
一方、投票対象選択部６２０ｃは、設定が「ランダム選択」でないと判断すると（ステップＴ１０４ＮＯ）、「人気順選択」を行う。投票対象選択部６２０ｃは、オッズデータを取得する（ステップＴ１０８）。投票対象選択部６２０ｃは、オッズデータに基づき、マークされた組番の中から組番を人気順に選択する（ステップＴ１１０）。
【００８６】
ＣＰＵ２１２は、投票対象選択部６２０ｃが選択した組番に基づく、修正された投票電文を投票装置１００に送信する（ステップＴ１１２）。修正された投票電文は、図９の表Ｐ１に示したような投票データである。
【００８７】
ＣＰＵ５２０は、投票電文を受信したかを判断し（ステップＳ１２０）、受信していないと判断すると（ステップＳ１２０ＮＯ）、ステップＳ１２０をループする。ＣＰＵ５２０は、修正された投票電文を受信したと判断すると（ステップＳ１２０ＹＥＳ）、確認画面を表示して、投票者に修正内容の承認を促す。投票者により行われる確認手続きであるステップＳ１２２〜ステップＳ１２８及び投票者により行われる返却確認操作であるＲ１０６は、ステップＳ５０〜ステップＳ５６及びＲ１６と同一であるので、説明は省略する。
【００８８】
ＣＰＵ５２０は、投票者から確認操作されたと判断すると（ステップＳ１２８ＹＥＳ）、修正された投票電文をホストコンピュータ２００に送信する（ステップＳ１３０）。
【００８９】
なお、ＣＰＵ５２０は、修正された投票電文全体ではなく、修正が承認されたことを示すだけの電文を、ホストコンピュータ２００に送信するようにしてもよい。
【００９０】
ＣＰＵ６０２は、発券許可部２０２ａにより発券許可がされれば、通信ＩＦ２０４により発券許可電文を投票装置１００に送信する（ステップＴ１１４）。
【００９１】
投票装置１００のＣＰＵ５２０は、発券許可電文を受信したかを判断する（ステップＳ１３２）。ＣＰＵ５２０は、発券許可電文を受信していないと判断すると（ステップＳ１３２ＮＯ）、ステップＳ１３２をループする。ＣＰＵ５２０は、発券許可電文を受信したと判断すると（ステップＳ１３２ＹＥＳ）、投票券発行部１２０ｂは、投票券を発行する（ステップＳ１３４）。
【００９２】
以上説明した第２実施形態によっても、第１実施形態と同様に、投票カードの投票対象（組番）に誤記入があった場合、ホストコンピュータ２００が自動的に投票対象を適正数に選択するので、従来のようなその場で投票者に修正作業を行わせるのに比べて、１接客あたりの投票時間を大幅に短縮することができる。第２実施形態においても、投票対象選択処理を行うことで、投票時間が２０秒から１２秒に短縮され、約４０％程接客時間を抑えることが見込まれる。
【００９３】
なお、投票対象選択部は、第１実施形態および第２実施形態いずれでも、制御プログラムを読込んだＣＰＵによるソフトウェア処理であると説明したが、一部あるいは全部をハードウェアで構成するようにしてもよい。
【００９４】
〔第３実施形態〕
第３実施形態は、実施形態１、２が投票装置１００に対し、本実施例では、キャッシュレス投票端末装置による例である。
【００９５】
投票装置１００が、現金を使用して、投票券を発行し投票を行うのに対し、キャッシュレス投票端末装置４００は、入金精算機により現金がチャージされた会員カードにより投票を行う装置である。尚、キャッシュレス投票端末装置４００による投票を行なった場合、投票券は発券されず、投票した内容を印刷したレシートが発行される。投票自体は、データの授受により投票が行われる。
【００９６】
入金精算機は、現金による投票券の購入、的中投票券の払い戻し、会員カードによる的中払戻金あるいは残金の精算、及び会員カードへの現金のチャージを行う装置である。
【００９７】
図１４において、キャッシュレス投票端末装置４００は、ＩＣカードリーダ４１０、投票カード投入排出口４０４、ディスプレイ４０８、タッチパネル４０９、及びレシート排出口４０３を備えている。ＩＣカードリーダ４１０は、会員カードに記憶された情報を読み取るものであり、入金部に相当する。投票カード投入排出口４０４は、投票内容が記入された投票カードを投入及び排出するものであり、投票入力部に相当する。
【００９８】
ディスプレイ４０８は、投票予約データの選択画面やファンに選択してもらう優先条件を表示するものであり、その他、操作案内、レース案内、投票カードの投票内容等の情報を表示する。ディスプレイ４０８は、例えば、液晶ディスプレイである。ディスプレイ４０８の上部には、タッチパネル４０９が配置されている。
【００９９】
タッチパネル４０９は、各種の入力や投票内容の修正等の際に、ファンが操作するものである。タッチパネル４０９は、透過型であり、ディスプレイ４０８により表示された情報は、タッチパネル４０９を透過して、ファンから視認できるようになっている。ファンは、ディスプレイ４０８により表示された情報を見ながら、タッチパネル４０９に対するタッチ操作を行うことができる。タッチパネル４０９は、ファンがディスプレイ４０８の表示を見て、投票内容や優先条件を選択するものである。ディスプレイ４０８及びタッチパネル４０９により、表示選択手段が構成されている。
【０１００】
図１５において、キャッシュレス投票端末装置４００は、制御部４１１、ディスプレイ４０８、タッチパネル４０９、ＩＣカードリーダ４１０、投票カード読取ユニット４１４、レシートプリンタ４１７を備えている。
【０１０１】
制御部４１１は、中央演算装置（Central Processing Unit：以下「ＣＰＵ」という。
）４２０、ラム（Random Access Memory：以下「ＲＡＭ」という。）４２１、コンパクトフラッシュ（登録商標）（以下「ＣＦ」という。）４２２、通信インタフェース４２３、グラフィック処理ユニット４２４、入出力インタフェース４２５を含み、各々がバス４２６を介して接続されている。尚、制御部４１１は、コンピュータの一例でもある。尚、ＣＦ４２２は、これに限定されず、ハードディスクドライブ（Hard Disk Drive：ＨＤＤ）等でも良い。
【０１０２】
ＣＰＵ４２０は、キャッシュレス投票端末装置４００の全体動作を制御する。ＲＡＭ４２１は、ＣＰＵ４２０によって実行されるオペレティングシステム（Operating System：以下「ＯＳ」という。）のプログラムやアプリケーションプログラムの少なくとも一部を一時的に格納する。
【０１０３】
グラフィック処理ユニット４２４には、ディスプレイ４０８が接続されている。グラフィック処理ユニット４２４は、ＣＰＵ４２０の制御の下に、各種の情報をディスプレイ４０８の画面に表示させる。入出力インタフェース４２５には、タッチパネル４０９、ＩＣカードリーダ４１０、投票カード読取ユニット４１４、レシートプリンタ４１７が接続されている。
【０１０４】
入出力インタフェース４２５は、タッチパネル４０９、投票カード読取ユニット４１４、レシートプリンタ４１７、から送られてくる信号を、バス４２６を介してＣＰＵ４２０に送信する。また、入出力インタフェース４２５は、ＣＰＵ４２０から送られてくる制御信号を、バス４２６を介して対応するユニット（タッチパネル４０９、ＩＣカードリーダ４１０、投票カード読取ユニット４１４、レシートプリンタ４１７）へ送信する。
【０１０５】
ＩＣカードリーダ４１０は、会員カードの会員ＩＤ、残金等を含む情報を読み取るものである。投票カード読取ユニット４１４は、投票カードから投票内容を読み取るユニットである。レシートプリンタ４１７は、投票内容を印字するプリンタである。
【０１０６】
尚、キャッシュレス投票端末装置４００において、制御部４１１は、例えば、ＦＰＧＡ（Field Programmable Gate Array）やＤＳＰ（Digital Signal Processor）等のモジュールを含む構成とすることもできる。この場合、制御部４１１は、不揮発性メモリ、フラッシュメモリ、フラッシュメモリ型メモリカード等を含み、モジュールのファームウェアを記憶する。このように制御部４１１は、不揮発性メモリに記憶されているファームウェアを書き換えることにより、ファームウェアを更新することもできる。
【０１０７】
尚、キャッシュレス投票端末装置での投票の処理については、図６Ａ、図６Ｂ、図１２Ａ、図１２Ｂの処理において、現金を投入する代わりに、会員カードにより、電子的な取引を行う。また、投票券の発券は行われない代わりに電子的な取引を行う。そして控えのレシートを発行する。この部分のみ変わるだけで、他は、投票装置１００と同様である。
【０１０８】
なお、本実施の形態で説明した投票装置は一例であり、有人・無人の現金による発売機／発払機や会員カード等を用いて、キャッシュレスで投票が可能なキャッシュレス投票端末装置等も含まれる。また、宝くじ等の申込用紙（投票カード）を使用しての発売機・発券機等も含まれる。更に、投票カードや申込用紙を用いて投票が可能な装置全般に応用が可能である。
【０１０９】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用がもちろん可能である。
【符号の説明】
【０１１０】
１００    投票装置
１２０  ５２０  ＣＰＵ
１２０ａ  投票内容取得部
１２０ｂ  投票券発行部
１２０ｃ  投票対象選択部
１２３    通信ＩＦ
１２４    グラフィック処理ユニット
１２５    入出力ＩＦ
１２６    バス
２００    ホストコンピュータ
２０２  ６０２  ＣＰＵ
２０２ａ  発券許可部
６２０ｃ  投票対象選択部
２０４    通信ＩＦ
３００    ネットワーク
４００  キャッシュレス投票端末装置
１０００    投票システム
【図５】
2016118890.tif 000003
【図６Ａ】
2016118890.tif 000004
【図６Ｂ】
2016118890.tif 000005
【図７】
2016118890.tif 000006
【図８】
2016118890.tif 000007
【図１１】
2016118890.tif 000008
【図１２Ａ】
2016118890.tif 000009
【図１２Ｂ】
2016118890.tif 000010
【図１４】
2016118890.tif 000011
【図１５】
2016118890.tif 000012
【図１】
2016118890.tif 000013
【図２】
2016118890.tif 000014
【図３】
2016118890.tif 000015
【図４】
2016118890.tif 000016
【図９】
2016118890.tif 000017
【図１０】
2016118890.tif 000018
【図１３】
2016118890.tif 000019